(57)【要約】【課題】  電力会社などから請求される料金と、需要家で認識している料金との差異を低減することを可能とする電力管理装置、表示装置及び電力管理方法を提供する。【解決手段】  電力管理装置は、スマートメータから、電力情報に加えて、料金単価情報を受信する受信部を備える。【選択図】  図２
2016144234.tif 000002
【特許請求の範囲】
【請求項１】
電力系統から需要家施設に供給される電力スマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信する受信部を備えることを特徴とする電力管理装置。
【請求項２】
情報の送信を要求するための規定フォーマットを有する要求メッセージを送信する送信部を備え、
前記送信部は、前記要求メッセージを用いて、前記スマートメータに対して前記料金単価情報の送信を要求することを特徴とする請求項１に記載の電力管理装置。
【請求項３】
前記受信部は、情報を通知するための規定フォーマットを有する通知メッセージを受信し、
前記受信部は、前記通知メッセージを用いて、前記スマートメータから前記料金単価情報を定期的に受信することを特徴とする請求項１又は請求項２に記載の電力管理装置。
【請求項４】
前記受信部は、情報を通知するための規定フォーマットを有する通知メッセージを受信し、
前記受信部は、前記料金単価情報が変更された際に、前記通知メッセージを用いて、前記スマートメータから前記料金単価情報受信することを特徴とする請求項１乃至請求項３のいずれかに記載の電力管理装置。
【請求項５】
前記料金単価情報は、前記電力系統から受電する電力の料金単価の情報である買電料金単価情報及び前記電力系統に対して送電する電力の料金単価の情報である売電料金単価情報の少なくともいずれかであることを特徴とする請求項１乃至請求項４のいずれかに記載の電力管理装置。
【請求項６】
前記需要家施設内に設けられており、前記需要家施設に供給される電力を消費する負荷に接続されることを特徴とする請求項１乃至請求項５のいずれかに記載の電力管理装置。
【請求項７】
電力系統から需要家施設に供給される電力スマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信する受信部と、
前記電力情報及び前記料金単価情報に基づいて、前記電力情報及び前記料金単価情報に関する情報を表示する表示部とを備えることを特徴とする表示装置。
【請求項８】
電力系統から需要家施設に供給される電力スマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信するステップを備えることを特徴とする電力管理方法。
【発明の詳細な説明】
【技術分野】
【０００１】
本発明は、電力系統から需要家施設に供給される電力を示す電力情報を管理する電力管理装置、表示装置及び電力管理方法に関する。
【背景技術】
【０００２】
近年、需要家施設に設けられる機器の電力を管理する電力管理システム（ＥＭＳ：Ｅｎｅｒｇｙ  Ｍａｎａｇｅｍｅｎｔ  Ｓｙｓｔｅｍ）が注目を浴びている。このような電力管理システムでは、機器の電力を管理する電力管理装置が設けられる。
【０００３】
電力管理装置としては、住宅に設けられるＨＥＭＳ（ＨＯＭＥ  Ｅｎｅｒｇｙ  Ｍａｎａｇｅｍｅｎｔ  Ｓｙｓｔｅｍ）、ビルに設けられるＢＥＭＳ（Ｂｕｉｌｄｉｎｇ  Ｅｎｅｒｇｙ  Ｍａｎａｇｅｍｅｎｔ  Ｓｙｓｔｅｍ）、工場に設けられるＦＥＭＳ（Ｆａｃｔｏｒｙ  Ｅｎｅｒｇｙ  Ｍａｎａｇｅｍｅｎｔ  Ｓｙｓｔｅｍ）、店舗にＳＥＭＳ（Ｓｔｏｒｅ  Ｅｎｅｒｇｙ  Ｍａｎａｇｅｍｅｎｔ  Ｓｙｓｔｅｍ）等が挙げられる。
【０００４】
このようなケースにおいて、電力系統から需要家施設に供給される電力を測定するメータとして、通信機能を有するスマートメータの導入が検討されている。スマートメータは、電力系統から需要家施設に供給される電力の情報（以下、電力情報）を電力管理装置に送信する機能を有する（例えば、特許文献１）。
【先行技術文献】
【特許文献】
【０００５】
【特許文献１】特開２０１４−１５３３３７号公報
【発明の概要】
【発明が解決しようとする課題】
【０００６】
しかしながら、上述した技術では、スマートメータは、電力情報を電力管理装置に送信しているものの、電力系統から需要家施設に供給される電力に関する料金単価の情報（以下、料金単価情報）を電力管理装置に送信していない。従って、ユーザは、把握している料金が、電力会社と異なる料金単価情報に基づいて計算されている場合には、電力会社などから請求される料金と異なることがあった。
【０００７】
そこで、本発明は、上述した課題を解決するためになされたものであり、電力会社などから請求される料金と、需要家で認識している料金との差異を低減することを可能とする電力管理装置、表示装置及び電力管理方法を提供することを目的とする。
【課題を解決するための手段】
【０００８】
第１の特徴は、電力管理装置であって、電力系統から需要家施設に供給される電力を測定するスマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信する受信部を備えることを要旨とする。
【０００９】
第２の特徴は、表示装置であって、電力系統から需要家施設に供給される電力を測定するスマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信する受信部と、前記電力情報及び前記料金単価情報に基づいて、前記電力情報及び前記料金単価情報に関する情報を表示する表示部とを備えることを要旨とする。
【００１０】
第３の特徴は、電力管理方法であって、電力系統から需要家施設に供給される電力を測定するスマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信するステップを備えることを要旨とする。
【発明の効果】
【００１１】
本発明によれば、上述した課題を解決するためになされたものであり、電力会社などから請求される料金と、需要家で認識している料金との差異を低減することを可能とする電力管理装置、表示装置及び電力管理方法を提供することができる。
【図面の簡単な説明】
【００１２】
【図１】図１は、第１実施形態に係る需要家施設１０を示す図である。
【図２】図２は、第１実施形態に係るＥＭＳ２００を示す図である。
【図３】図３は、第１実施形態に係る表示装置５００を示す図である。
【図４】図４は、第１実施形態に係るメッセージフォーマットの一例を示す図である。
【図５】図５は、第１実施形態に係るメッセージフォーマットの一例を示す図である。
【図６】図６は、第１実施形態に係る電力管理方法を示すシーケンス図である。
【図７】図７は、変更例１に係るメッセージフォーマットの一例を示す図である。
【図８】図８は、変更例１に係る電力管理方法を示すシーケンス図である。
【図９】図９は、変更例２に係る電力管理方法を示すシーケンス図である。
【発明を実施するための形態】
【００１３】
以下において、実施形態に係る電力管理装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
実施形態に係る電力管理装置は、電力系統から需要家施設に供給される電力を測定するスマートメータから、前記電力系統と前記需要家施設との間で送電又は受電が行われる電力の情報である電力情報に加えて、前記電力系統と前記需要家施設との間で送電又は受電が行われる電力に関する料金単価の情報である料金単価情報を受信する受信部を備える。
【００１６】
実施形態では、電力管理装置は、電力情報に加えて料金単価情報をスマートメータから受信する。電力系統から受電する電力に対する対価である買電金額（或いは、電力系統に送電する電力に対する対価である売電金額）を電力管理装置で自動的に算出することができる。さらに、スマートメータは電力会社によって管理されており、スマートメータから受信する料金単価情報も電力会社のコントロール下にある。従って、実際の買電金額（或いは、売電金額）と電力管理装置で算出される買電金額（或いは、売電金額）との誤差を低減することができる。
【００１７】
［第１実施形態］
（需要家施設）
以下において、第１実施形態に係る需要家施設について説明する。図１は、第１実施形態に係る需要家施設１０の詳細を示す図である。
【００１８】
図１に示すように、需要家施設１０は、分電盤１１０と、負荷１２０と、ＰＶユニット１３０と、蓄電池ユニット１４０と、燃料電池ユニット１５０と、貯湯ユニット１６０とを有する。需要家施設１０は、これらに加えて、ＥＭＳ２００と、スマートメータ３００とを有する。但し、スマートメータ３００及びＥＭＳ２００は、需要家施設１０の建物内に設けられる必要はないことに留意すべきである。さらには、ＥＭＳ２００と通信可能な表示装置５００が設けられる。
【００１９】
分電盤１１０は、電力系統４００に接続されている。分電盤１１０は、電力線を介して、負荷１２０、ＰＶユニット１３０、蓄電池ユニット１４０及び燃料電池ユニット１５０に接続されている。
【００２０】
負荷１２０は、電力線を介して需要家施設１０に供給される電力を消費する装置である。例えば、負荷１２０は、冷蔵庫、照明、エアコン、テレビなどの装置を含む。負荷１２０は、単数の装置であってもよく、複数の装置を含んでもよい。
【００２１】
ＰＶユニット１３０は、ＰＶ１３１と、ＰＣＳ１３２とを有する。ＰＶ１３１は、太陽光の受光に応じて発電を行う装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００２２】
ＰＶユニット１３０は、ＰＶ１３１に照射される日射量を測定する日射計を有していてもよい。
【００２３】
ＰＶユニット１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶユニット１３０は、ＰＶ１３１の動作点（動作点電圧値及び電力値によって定まる点、又は、動作点電圧値と電流値とによって定まる点）を最適化する。
【００２４】
蓄電池ユニット１４０は、蓄電池１４１と、ＰＣＳ１４２とを有する。蓄電池１４１は、電力を蓄積する装置である。ＰＣＳ１４２は、蓄電池１４１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２５】
燃料電池ユニット１５０は、燃料電池１５１と、ＰＣＳ１５２とを有する。燃料電池１５１は、燃料ガスを利用して電力を生成する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２６】
燃料電池ユニット１５０は、負荷追従制御によって動作する。詳細には、燃料電池ユニット１５０は、燃料電池１５１から出力される電力が負荷１２０の消費電力に追従するように燃料電池１５１を制御する。
【００２７】
貯湯ユニット１６０は、電力を熱に変換して、熱を蓄積する。具体的には、貯湯ユニット１６０は、貯湯槽を有しており、燃料電池１５１の運転（発電）によって生じる排熱によって、貯湯槽から供給される水を温める。詳細には、貯湯ユニット１６０は、貯湯槽から供給される水を温めて、温められた湯を貯湯槽に還流する。
【００２８】
ＥＭＳ２００は、電力系統４００から需要家施設１０に供給される電力を示す電力情報を管理する電力管理装置の一例である。
【００２９】
具体的には、ＥＭＳ２００は、負荷１２０、ＰＶユニット１３０、蓄電池ユニット１４０、燃料電池ユニット１５０及び貯湯ユニット１６０に信号線を介して接続されており、負荷１２０、ＰＶユニット１３０、蓄電池ユニット１４０、燃料電池ユニット１５０及び貯湯ユニット１６０を制御する。ＥＭＳ２００は、負荷１２０の動作モードを制御することによって、負荷１２０の消費電力を制御してもよい。ＥＭＳ２００と機器とを接続する信号線は、無線であってもよく、有線であってもよい。
【００３０】
第１実施形態において、ＥＭＳ２００は、スマートメータ３００に信号線を介して接続されており、スマートメータ３００と通信を行う。ＥＭＳ２００とスマートメータ３００とを接続する信号線及びＥＭＳ２００とスマートメータ３００とを接続する信号線は、無線であってもよく、有線であってもよい。
【００３１】
スマートメータ３００は、電力系統４００とから需要家施設１０に供給される電力を測定する。例えば、スマートメータ３００は、分電盤１１０よりも電力系統４００側において電力線に接続されており、電力線を流れる電力の量を測定する。スマートメータ３００により測定された電力に基づいて需要家に対して課金が行なわれる。
【００３２】
第１実施形態において、スマートメータ３００は、電力系統４００と需要家施設１０との間で送電又は受電が行われる電力の情報である電力情報をＥＭＳ２００に送信する。電力情報は、一定期間（例えば、３０分）において需要家施設１０に供給される電力の積算値であってもよく、需要家施設１０に供給される電力の瞬時値であってもよい。ここで、電力情報は、電力系統４００から受電する電力の情報、電力系統４００に対して送電する電力の情報を含むことに留意すべきである。
【００３３】
例えば、スマートメータ３００は、情報を通知するための規定フォーマットを有する通知メッセージを用いて、電力情報をＥＭＳ２００に送信してもよい。例えば、スマートメータ３００は、通知メッセージを用いて、一定期間（例えば、３０分）において需要家施設１０に供給される電力の積算値を送信する。或いは、スマートメータ３００は、情報の送信を要求するための規定フォーマットを有する要求メッセージの受信に応じて、電力情報をＥＭＳ２００に送信してもよい。例えば、スマートメータ３００は、要求メッセージの受信に応じて、需要家施設１０に供給される電力の瞬時値を送信する。
【００３４】
第１実施形態において、スマートメータ３００は、電力系統４００と需要家施設１０との間で送電又は受電が行われる電力に関する料金単価の情報である料金単価情報をＥＭＳ２００に送信する。ここでは、スマートメータ３００は、情報の送信を要求するための規定フォーマットを有する要求メッセージの受信に応じて、料金単価情報をＥＭＳ２００に送信する。料金単価情報は、電力系統４００から受電する電力の料金単価の情報である買電料金単価情報及び電力系統４００に対して送電する電力の料金単価の情報である売電料金単価情報の少なくともいずれかである。
【００３５】
ここで、電力系統４００に対して送電する電力は、ＰＶユニット１３０によって生成される電力であることが好ましい。但し、実施形態は、これに限定されるものではなく、電力系統４００に対して送電する電力は、蓄電池ユニット１４０に蓄積される電力であってもよく、燃料電池ユニット１５０によって生成される電力であってもよい。
【００３６】
表示装置５００は、例えば、各種情報を表示する端末である。表示装置５００は、ＥＭＳ２００と通信を行う機能を有することが好ましい。表示装置５００は、無線接続によってＥＭＳ２００と通信を行ってもよく、有線接続によってＥＭＳ２００と通信を行ってもよい。表示装置５００は、例えば、スマートフォン又はタブレット端末である。或いは、表示装置５００は、専用端末であってもよい。
【００３７】
（電力管理装置）
以下において、第１実施形態に係る電力管理装置について説明する。図２は、第１実施形態に係るＥＭＳ２００を示す図である。
【００３８】
図２に示すように、ＥＭＳ２００は、通信部２１０と、制御部２２０と、表示制御部２３０とを有する。
【００３９】
通信部２１０は、通信モジュールによって構成されており、信号線を介して接続された機器と通信を行う。同様に、通信部２１０は、信号線を介して接続されたスマートメータ３００と通信を行う。
【００４０】
第１実施形態において、通信部２１０は、電力系統４００と需要家施設１０との間で送電又は受電が行われる電力の情報である電力情報をスマートメータ３００から受信する受信部を構成する。例えば、通信部２１０は、情報を通知するための規定フォーマットを有する通知メッセージを用いて、電力情報をスマートメータ３００から受信してもよい。或いは、通信部２１０は、情報の送信を要求するための規定フォーマットを有する要求メッセージを用いて、スマートメータ３００に対して電力情報の送信を要求してもよい。
【００４１】
第１実施形態において、通信部２１０は、電力系統４００と需要家施設１０との間で送電又は受電が行われる電力に関する料金単価の情報である料金単価情報をスマートメータ３００から受信する受信部を構成する。ここでは、通信部２１０は、情報の送信を要求するための規定フォーマットを有する要求メッセージを用いて、スマートメータ３００に対して料金単価情報の送信を要求する。このようなケースにおいて、通信部２１０は、情報の送信を要求するための規定フォーマットを有する要求メッセージを送信する送信部を構成する。
【００４２】
料金単価情報は、上述したように、電力系統４００から受電する電力の料金単価の情報である買電料金単価情報及び電力系統４００に対して送電する電力の料金単価の情報である売電料金単価情報の少なくともいずれかである。すなわち、料金単価情報は、買電料金単価情報のみ、売電料金単価情報のみ、または買電料金単価情報および売電料金単価情報である。
【００４３】
料金単価情報としてどのような単価情報が含まれるのかは、需要家施設１０における買電状況および売電状況に応じてＥＭＳ２００が判断してもよい。すなわち、ＥＭＳ２００は、需要家施設１０の買電売電状況を判断し、必要な単価情報が含まれる料金単価情報をスマートメータ３００に要求する。
【００４４】
具体的に、例えば、需要家施設１０において売電が行なわれていない場合には、料金単価情報は買電料金単価情報のみである。また、需要家施設１０において買電が行なわれていない場合には、料金単価情報は売電料金単価情報のみである。さらに、需要家施設１０において売電買電が同時行なわれている場合には、料金単価情報は買電料金単価情報および売電料金単価情報である。
【００４５】
制御部２２０は、ＣＰＵ及びメモリによって構成されており、ＥＭＳ２００を制御する。具体的には、制御部２２０は、スマートメータ３００から受信する電力情報及び料金単価情報を管理する。
【００４６】
表示制御部２３０は、電力情報及び料金単価情報に基づいて、電力情報及び料金単価情報に関する情報（以下、料金関連情報）を表示する制御を行う。このような制御は、表示装置５００に情報を表示するための制御であり、表示装置５００に情報を表示するための表示データを生成する制御である。
【００４７】
第１実施形態では、表示装置５００に情報を表示するケースを例示しているが、ＥＭＳ２００がディスプレイを有している場合には、ＥＭＳ２００に設けられるディスプレイに情報（料金関連情報）が表示されてもよい。
【００４８】
料金関連情報とは、電力情報及び料金単価情報を個別に含む情報であってもよい。例えば、料金単価情報が買電料金単価情報である場合には、料金関連情報は、電力系統４００から受電する受電電力情報及び買電料金単価情報を個別に含む。或いは、料金単価情報が売電料金単価情報である場合には、料金関連情報は、電力系統４００に対して送電する送電電力情報及び売電料金単価情報を個別に含む。或いは、料金単価情報が買電料金単価情報及び売電料金単価情報の双方を含む場合には、料金関連情報は、受電電力情報、買電料金単価情報、送電電力情報及び売電料金単価情報を個別に含む。
【００４９】
さらに、料金関連情報とは、電力情報及び料金単価情報の乗算結果であってもよい。例えば、料金単価情報が買電料金単価情報である場合には、料金関連情報は、受電電力情報及び買電料金単価情報の乗算結果（すなわち、買電金額）を含む。或いは、料金単価情報が売電料金単価情報である場合には、料金関連情報は、送電電力情報及び売電料金単価情報の乗算結果（すなわち、売電金額）を含む。或いは、料金単価情報が買電料金単価情報及び売電料金単価情報の双方を含む場合には、料金関連情報は、受電電力情報及び買電料金単価情報の乗算結果と送電電力情報及び売電料金単価情報の乗算結果とを個別に含む。或いは、料金単価情報が買電料金単価情報及び売電料金単価情報の双方を含む場合には、料金関連情報は、受電電力情報及び買電料金単価情報の乗算結果から送電電力情報及び売電料金単価情報の乗算結果を差し引いた値（すなわち、ユーザが支払うべき金額）を含んでもよい。
【００５０】
（表示装置）
以下において、第１実施形態に係る表示装置について説明する。図３は、第１実施形態に係る表示装置５００を示す図である。
【００５１】
図３に示すように、表示装置５００は、通信部５１０と、表示部５２０とを有する。表示装置５００は、上述したように、スマートフォン、タブレット端末又は専用端末である。
【００５２】
通信部５１０は、通信モジュールによって構成されており、ＥＭＳ２００と通信を行う。例えば、通信部５１０は、例えば、通信部５１０は、ＥＭＳ２００から表示データを受信する。
【００５３】
表示部５２０は、液晶パネル又は有機ＥＬなどのディスプレイによって構成されており、各種情報を表示する。例えば、表示部５２０は、上述した料金関連情報を表示する。
【００５４】
（メッセージフォーマット）
以下において、第１実施形態に係るメッセージフォーマットの一例について説明する。図４及び図５は、第１実施形態に係るメッセージフォーマットの一例を示す図である。ここでは、ＥＭＳ２００とスマートメータ３００との間の通信がＥＣＨＯＮＥＴ  Ｌｉｔｅ方式で行われるケースにおいて、ＥＣＨＯＮＥＴ  Ｌｉｔｅ方式に準拠するメッセージフォーマットを例示する。
【００５５】
図４に示すように、情報の送信を要求するための規定フォーマットを有する要求メッセージとして、ＥＣＨＯＮＥＴ  Ｌｉｔｅ方式に準拠するＧＥＴコマンドを用いることができる。ＧＥＴコマンドは、ヘッダフィールド及び送信要求フィールドを有する。送信要求フィールドには、電力情報を要求する旨を示す値、料金単価情報を要求する旨を示す値、或いは、電力情報及び料金単価情報の双方を要求する旨を示す値を格納することができる。電力情報を要求する旨を示す値は、予め定められた値として定義されており、料金単価情報を要求する旨を示す値は、ユーザが設定可能な値として定義される。但し、料金単価情報を要求する旨を示す値も予め定められた値として定義されていてもよい。
【００５６】
図５に示すように、要求メッセージに対する応答メッセージとして、ＥＣＨＯＮＥＴ  Ｌｉｔｅ方式に準拠するＧＥＴ応答コマンドを用いることができる。ＧＥＴ応答コマンドは、ヘッダフィールド及び要求応答フィールドを有する。要求応答フィールドには、電力情報或いは料金単価情報を格納することができる。電力情報は、予め定められた値として定義されており、料金単価情報は、ユーザが設定可能な値として定義される。但し、料金単価情報も予め定められた値として定義されていてもよい。
【００５７】
（電力管理方法）
以下において、第１実施形態に係る電力管理方法について説明する。図６は、第１実施形態に係る電力管理方法を示すシーケンス図である。ここでは、ＥＣＨＯＮＥＴ  Ｌｉｔｅ方式が用いられるケースを例示する。
【００５８】
図６に示すように、ステップＳ１０において、ＥＭＳ２００は、スマートメータ３００にＧＥＴコマンドを送信する。ＧＥＴコマンドの送信要求フィールドには、料金単価情報を要求する旨を示す値が格納される。
【００５９】
ステップＳ２０において、スマートメータ３００は、ＥＭＳ２００にＧＥＴ応答コマンドを送信する。ＧＥＴ応答コマンドの要求応答フィールドには、料金単価情報が格納される。
【００６０】
ステップＳ３０において、スマートメータ３００は、ＥＭＳ２００に電力情報を送信する。スマートメータ３００は、情報を通知するための規定フォーマットを有する通知メッセージを用いて、電力情報をＥＭＳ２００に送信してもよい。或いは、スマートメータ３００は、情報の送信を要求するための規定フォーマットを有する要求メッセージの受信に応じて、電力情報をＥＭＳ２００に送信してもよい。
【００６１】
ステップＳ４０において、ＥＭＳ２００は、ステップＳ３０で受信する電力情報及びステップＳ２０で受信する料金単価情報に基づいて、電力情報及び料金単価情報に関する情報（料金関連情報）を表示する制御を行う。
【００６２】
（作用及び効果）
第１実施形態では、ＥＭＳ２００は、電力情報に加えて料金単価情報をスマートメータ３００から受信する。電力系統４００から受電する電力に対する対価である買電金額（或いは、電力系統４００に送電する電力に対する対価である売電金額）をＥＭＳ２００で自動的に算出することができる。さらに、スマートメータ３００は電力会社によって管理されており、スマートメータ３００から受信する料金単価情報も電力会社のコントロール下にある。従って、実際の買電金額（或いは、売電金額）とＥＭＳ２００で算出される買電金額（或いは、売電金額）との誤差を低減することができる。さらに、電力会社が料金単価を変更した場合でも、リアルタイムに料金単価情報を知ることができる。
【００６３】
第１実施形態では、表示装置５００は、電力情報及び料金単価情報に関する情報（料金関連情報）を表示する。従って、上述した買電金額（或いは、売電金額）を容易に把握することができる。
【００６４】
［変更例１］
以下において、第１実施形態の変更例１について説明する。以下においては、第１実施形態に対する相違点について主として説明する。
【００６５】
第１実施形態では、通信部２１０は、情報の送信を要求するための規定フォーマットを有する要求メッセージを用いて、スマートメータ３００に対して料金単価情報の送信を要求する。これに対して、変更例１では、通信部２１０は、情報を通知するための規定フォーマットを有する通知メッセージを用いて、料金単価情報をスマートメータ３００から受信する。スマートメータ３００は、料金単価情報を定期的に送信する。
【００６６】
（メッセージフォーマット）
以下において、変更例１に係るメッセージフォーマットの一例について説明する。図７は、変更例１に係るメッセージフォーマットの一例を示す図である。ここでは、ＥＭＳ２００とスマートメータ３００との間の通信がＥＣＨＯＮＥＴ  Ｌｉｔｅ方式で行われるケースにおいて、ＥＣＨＯＮＥＴ  Ｌｉｔｅ方式に準拠するメッセージフォーマットを例示する。
【００６７】
図７に示すように、情報を通知するための規定フォーマットを有する通知メッセージとして、ＥＣＨＯＮＥＴ  Ｌｉｔｅ方式に準拠するＩＮＦＯコマンドを用いることができる。ＩＮＦＯコマンドは、ヘッダフィールド及び状態情報フィールドを有する。状態情報フィールドには、電力情報或いは料金単価情報を格納することができる。電力情報は、予め定められた値として定義されており、料金単価情報は、ユーザが設定可能な値として定義される。但し、料金単価情報も予め定められた値として定義されていてもよい。
【００６８】
（電力管理方法）
以下において、変更例１に係る電力管理方法について説明する。図８は、変更例１に係る電力管理方法を示すシーケンス図である。ここでは、ＥＣＨＯＮＥＴ  Ｌｉｔｅ方式が用いられるケースを例示する。
【００６９】
図８に示すように、ステップＳ１１０（ステップＳ１１０ｎ及びステップＳ１１０ｎ＋１）において、スマートメータ３００は、ＥＭＳ２００にＩＮＦＯコマンドを定期的に送信する。ＩＮＦＯコマンドの状態情報フィールドには、料金単価情報が格納される。
【００７０】
ステップＳ１２０（ステップＳ１２０ｎ（１）及びステップＳ１２０ｎ（ｍ））において、スマートメータ３００は、ＥＭＳ２００に電力情報を送信する。スマートメータ３００は、情報を通知するための規定フォーマットを有する通知メッセージを用いて、電力情報をＥＭＳ２００に送信してもよい。或いは、スマートメータ３００は、情報の送信を要求するための規定フォーマットを有する要求メッセージの受信に応じて、電力情報をＥＭＳ２００に送信してもよい。
【００７１】
ステップＳ１３０（ステップＳ１３０ｎ（１）及びステップＳ１３０ｎ（ｍ））において、ＥＭＳ２００は、ステップＳ１２０（ステップＳ１２０ｎ（１）及びステップＳ１２０ｎ（ｍ））で受信する電力情報及びステップＳ１１０（ステップＳ１１０ｎ）で受信する料金単価情報に基づいて、電力情報及び料金単価情報に関する情報（料金関連情報）を表示する制御を行う。
【００７２】
［変更例２］
以下において、第１実施形態の変更例２について説明する。以下においては、第１実施形態に対する相違点について主として説明する。
【００７３】
第１実施形態では、通信部２１０は、情報の送信を要求するための規定フォーマットを有する要求メッセージを用いて、スマートメータ３００に対して料金単価情報の送信を要求する。これに対して、変更例２では、通信部２１０は、情報を通知するための規定フォーマットを有する通知メッセージを用いて、料金単価情報をスマートメータ３００から受信する。スマートメータ３００は、料金単価が変更された際に、料金単価情報を送信する。
【００７４】
（電力管理方法）
以下において、変更例２に係る電力管理方法について説明する。図９は、変更例２に係る電力管理方法を示すシーケンス図である。ここでは、ＥＣＨＯＮＥＴ  Ｌｉｔｅ方式が用いられるケースを例示する。情報を通知するための規定フォーマットを有する通知メッセージとして、ＥＣＨＯＮＥＴ  Ｌｉｔｅ方式に準拠するＩＮＦＯコマンドが用いられる。
【００７５】
図９に示すように、ステップＳ２１０において、料金単価が変更される。料金単価の変更は、スマートメータ３００と電力会社との間の通信によって電力会社からスマートメータ３００に料金単価を送信することによって行われてもよい。或いは、料金単価の変更は、電力会社の担当者がスマートメータ３００を操作することによって行われてもよい。
【００７６】
ステップＳ２２０において、スマートメータ３００は、料金単価の変更に応じて、ＥＭＳ２００にＩＮＦＯコマンドを送信する。ＩＮＦＯコマンドの状態情報フィールドには、料金単価情報が格納される。
【００７７】
ステップＳ２３０（ステップＳ２３０（１）及びステップＳ２３０（ｍ））において、スマートメータ３００は、ＥＭＳ２００に電力情報を送信する。スマートメータ３００は、情報を通知するための規定フォーマットを有する通知メッセージを用いて、電力情報をＥＭＳ２００に送信してもよい。或いは、スマートメータ３００は、情報の送信を要求するための規定フォーマットを有する要求メッセージの受信に応じて、電力情報をＥＭＳ２００に送信してもよい。
【００７８】
ステップＳ２４０（ステップＳ２４０（１）及びステップＳ２４０（ｍ））において、ＥＭＳ２００は、ステップＳ２３０（ステップＳ２３０（１）及びステップＳ２３０（ｍ））で受信する電力情報及びステップＳ２２０で受信する料金単価情報に基づいて、電力情報及び料金単価情報に関する情報（料金関連情報）を表示する制御を行う。
【００７９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８０】
表示装置５００は、電力情報及び料金単価情報をスマートメータ３００から受信してもよい。詳細には、表示装置５００は、電力情報及び料金単価情報をスマートメータ３００からＥＭＳ２００を介して受信してもよく、電力情報及び料金単価情報をスマートメータ３００から直接的に受信してもよい。このようなケースにおいて、表示装置５００の表示部５２０は、電力情報及び料金単価情報に基づいて、電力情報及び料金単価情報に関する情報（料金関連情報）を表示する表示部を構成する。
【００８１】
料金単価情報（買電料金単価情報）は、系統側における過去の電力需要に基づいて定められる時間帯別の料金単価情報（ＴＯＵ；Ｔｉｍｅ  Ｏｆ  Ｕｓｅ）であってもよく、系統側における現在の電力需要に基づいて定められる時間帯別の料金単価情報（ＲＴＰ；Ｒｅａｌ  Ｔｉｍｅ  Ｐｒｉｃｉｎｇ）であってもよい。例えば、変更例１において定期的に送信されるＩＮＦＯコマンドに含まれる料金単価情報はＴＯＵである。一方で、変更例２において料金単価の変更に伴って送信されるＩＮＦＯコマンドに含まれる料金単価情報はＲＴＰである。
【００８２】
料金単価情報がＴＯＵに相当する情報である場合に、料金単価情報は、現在の時間帯のＴＯＵであってもよく、複数の時間帯のＴＯＵを含むリストであってもよい。料金単価情報がＲＴＰに相当する情報である場合には、料金単価情報は、ＲＴＰをレベル別に表した情報であってもよく、ＴＯＵに対する割合であってもよく、ＲＴＰそのものであってもよい。
【００８３】
実施形態では、１つのスマートメータ３００が需要家施設１０に設けられるケースについて例示した。しかしながら、実施形態は、これに限定されるものではない。電力系統４００に送電される電力の買取制度が全量買取制度である場合には、買電に用いるスマートメータ及び売電に用いるスマートメータが別々に設けられていてもよい。一方で、電力系統４００に送電される電力の買取制度が余剰電力買取制度である場合には、１つのスマートメータのみが設けられていればよい。全量買取制度とは、例えば、ＰＶユニット１３０から出力される電力の全てを買い取る制度である。一方で、余剰電力買取制度は、ＰＶユニット１３０から出力される電力の量から需要家施設１０で消費される電力の量を差し引いた量を買い取る制度である。
【００８４】
また、電力会社から需要家施設１０に対して電力の使用又は低減に関する電力制御要求（デマンドレスポンス）があった場合に、インセンティブまたはペナルティ（インセンティブ等）により電力料金が一時的に変更されたときにもリアルタイムに電力料金を知ることができる。またインセンティブ等により使用電力料金が割引される場合には、その情報がスマートメータ３００からＥＭＳ２００に送信されることにより、精度の高い電力料金を知ることができる。また、デマンドレスポンスの予定等をインセンティブ等の情報とともにスマートメータ３００から得てもよい。スマートメータ３００への要求は、ＥＭＳ２００がデマンドレスポンスの情報を得た後に行なえばよい。
【００８５】
さらに、需要家施設１０と電力会社において、使用する電力量の上限が予め設定されている場合（契約電力が設定されている場合）には、その上限の電力量を越えて電力を使用する場合には通常と異なる電力料金が適用されたり、ペナルティとして課金されたりする。その場合、これらの電力料金情報をスマートメータ３００から得ることにより、リアルタイムに電力料金を知ることができる。スマートメータ３００への要求は、定期的に行なってもよいし、前日の電力使用量がピークになる時間帯のみ要求頻度を高くしてもよい。
【００８６】
このように本発明は上述の実施形態のように、電力に関連するあらゆる料金情報を、電力会社が管理するスマートメータ３００から得ることにより精度の高い電力料金を知ることができる。
【符号の説明】
【００８７】
１０…需要家施設、１１０…分電盤、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５２…ＰＣＳ、１６０…貯湯ユニット、２００…ＥＭＳ、２１０…通信部、２２０…制御部、２３０…表示制御部、３００…スマートメータ、４００…電力系統、５００…表示装置、５１０…通信部、５２０…表示部
【図１】
2016144234.tif 000003
【図２】
2016144234.tif 000004
【図３】
2016144234.tif 000005
【図４】
2016144234.tif 000006
【図５】
2016144234.tif 000007
【図６】
2016144234.tif 000008
【図７】
2016144234.tif 000009
【図８】
2016144234.tif 000010
【図９】
2016144234.tif 000011